(57)【要約】【課題】  内部で足の指を充分に動かすことができ、足の病気の治癒と予防を可能とし、膝や腰の障害を予防又は治癒することができ、さらには全身の血行を良好にして健康を増進させることができ、スポーツ時には足の力を確実に地面に伝達させ、運動効率を向上させることができる履物を提供する。【解決手段】  底部の前端部に足の指先が下方へ屈曲しうる空隙部が設けられ、上記空隙部には足の指先を屈曲する際に弾性変形すると共に足指に対し反発力を付与しうる弾性部材が設けられている。上記底部はインソールとミッドソールを有すると共に、上記インソールとミッドソールの間に衝撃吸収部材が配置され、上記衝撃吸収部材の先端部が切欠れることにより上記空隙部が形成されている。【選択図】  図３
2006230802.tif 000002
【特許請求の範囲】
【請求項１】
底部の前端部に足の指先が下方へ屈曲しうる空隙部が設けられ、上記空隙部には足の指先を屈曲する際に弾性変形すると共に足指に対し反発力を付与しうる弾性部材が設けられていることを特徴とする履物。
【請求項２】
上記底部はインソールとミッドソールを有すると共に、上記インソールとミッドソールの間に衝撃吸収部材が配置され、上記衝撃吸収部材の先端部が切欠かれることにより上記空隙部が形成されていることを特徴とする請求項１記載の履物。
【請求項３】
上記弾性部材は、上面部が上方へ突出して先端側が傾斜するように形成され、ミッドソールの幅方向に沿って接着により固定されていることを特徴とする請求項１又は２記載の履物。
【請求項４】
上記弾性部材は上記インソールにより上方を被覆され、上記インソールは足指を下方へ屈曲した場合に変形しうる柔軟な素材により形成されていることを特徴とする請求項１〜３記載の履物。
【請求項５】
上記弾性部材は足指の屈曲時に、足指により適度な圧力で圧迫された場合に変形しうる程度の剛性を備えた合成ラテックスにより形成されていることを特徴とする請求項１〜４記載の履物。
【請求項６】
上記弾性部材は可撓性を有する板バネ部材により構成されていることを特徴とする請求項１〜４記載の履物。  
【請求項７】
革靴として構成されているを特徴とする請求項１〜６記載の履物。
【請求項８】
スポーツシューズとして構成されていることを特徴とする請求項１〜６記載の履物。
【請求項９】
サンダルとして構成されていることを特徴とする請求項１〜６記載の履物。
【請求項１０】
スリッパとして構成されていることを特徴とする請求項１〜６記載の履物。
【請求項１１】
リハビリ器具として構成されていることを特徴とする請求項１〜６記載の履物。
【請求項１２】
上記リハビリ器具は、底部の前端部に足の指先が下方へ屈曲しうる空隙部が設けられ、上記空隙部には足の指先を屈曲する際に弾性変形すると共に足指に対し反発力を付与しうる弾性部材が設けられているスリッパ状に形成されていることを特徴とする請求項１１記載の履物。
【請求項１３】
上記リハビリ器具には、足指の上下方向の運動回数を計測して表示しうるカウンタが備えられていることを特徴とする請求項１１又は１２記載の履物。
【発明の詳細な説明】
【技術分野】
【０００１】
本発明は履物に係り、特に、内部で足指を積極的に動かすことができるようにして健康増進に寄与しうる履物に関する。
【背景技術】
【０００２】
近年、靴を履くことにより外反母趾等の足の疾病に悩む人が多い。足の指の疾病は、脚の脹脛や膝にも悪影響を与え、さらに悪化した場合には腰痛をも引き起こすことになる。
【０００３】
このような足指の疾病は、足にフィットしない靴を着用することによって引き起こされる場合が多い。また、足にフィットする靴を履いた場合であっても、靴内部で足の指が可動できるスペースが少ないため、長年靴を装用する中で、次第に足の指の血行が悪くなる場合がある。
【０００４】
特に、現代の靴の多くは、足の裏及び甲に密着するように作られていることから足指の上下には空隙がなく、足指は固定された状態で靴を履いている場合が多い。
【０００５】
足は第二の心臓と呼ばれているようにポンプ作用を有しており血行を促すことから、足が正常に機能しないと血行が悪くなり、循環器系統の疾病を引き起こす可能性もある。
【０００６】
従って、足指やその他の身体部位の病気を予防するには、靴を着用した状態であっても、足の指が十分に可動することができ、足の指を積極的に鍛え、足指の筋力を高めることができるようにする必要がある。
【０００７】
一方、各種のスポーツにおいては、走る、跳ぶ、打つ等の運動の基本動作に関し、いずれも足指で地面を掴む動作が基本となる。即ち、足指で地面を掴むように意識することで、身体を地面にしっかりと固定させ、走る、跳ぶ、打つ等の運動をより正確、効果的に行うことが可能となる。
【０００８】
しかしながら、近年の各スポーツシューズにあっては、一般の靴と同様に、足を保護する観点から、革等の素材により足を固定するように作成されており、内部において足指を、
特に上下方向に自由に動かし、地面を掴むような動作を行うことができるものは少ない。
【０００９】
従って、スポーツ医学、力学の観点からも、足にフィットして自由に動き回れると同時に、走る場合、跳躍をする場合、ゴルフ、野球、テニス等のスイングを行う場合には足指が地面を掴みうるようなスポーツシューズが要望されている。
【００１０】
上記の観点から、特許文献１や特許文献２に記載された靴や履物が公知となっている。
【特許文献１】特開２０００−２９６００３号公報
【特許文献２】特許第３０８３８１８号公報
【００１１】
上記特許文献１に記載された靴は、靴底部のつま先部の上面に凹所を形成し、該凹所に、上面がつま先の先端に向かって徐々に凹所の上縁より高くなるような弾性部材を埋設した構成を有しているが、上記凹所が底を構成する部材のいずれに形成されるのかについては記載されていない。
靴の底は一般的にインソール、ミッドソール及びアウトソールによって構成され、革靴の製法の場合は釣り込み工程を有することから、例えば、グッドイヤーウェルテッド式、セメント式、又はマッケイ式等の製法ではミッドソールが必ず使用されている。
そして、上記インソール及びミッドソールは上記凹所を設けるには厚さ寸法が小さ過ぎるので、上記凹所をインソールやミッドソールに形成することは困難である。
また、上記凹所をアウトソールに設け、上記凹所に上記弾性部材を埋設した場合には、上記ミッドソールやインソールにも上記弾性部材を突出させる部位を形成する必要があるので、底部の構造が複雑化して製造が煩雑となり、実際の靴の製作にあたっては現実的ではない。
また、足の指裏で上記弾性部材の突出部を下方へ圧迫した場合に、その弾性部材の突出部を底部の上面と略面一になる程度までは圧縮することはできるが、足の指先を上記凹所の内部まで没入させることは困難なことから、指先を下方へ屈曲させて地面を掴むような運動をさせることができないという不具合がある。
また、上記弾性部材を底部の上面から上方へ突出させていることにより、靴内部の足指収納空間が制約されるので、却って足指の上下方向の運動がしにくくなり、さらに、着用した場合に窮屈感があって、履き心地が良好ではない、という不具合がある。
さらに、本公知文献にあっては、アウトソールに固定された弾性部材に直接に足指が当たるように構成されているが、上記弾性部材によっては、人間の歩行、走行の際の体重を支持することは不可能であり、靴として十分に機能することは難しい、という問題点がある。
【００１２】
また、上記特許文献２に記載された履物は、底の先端の足指の付け根に対応する部位に段部が設けられ、この段部により屈曲した足指が収容される凹部が形成された構成を有している。
このような履物の場合は、足指を屈曲する運動はできても、その運動時に足指に負荷を与えることができないので、足指の筋力を積極的に強化することができないという不具合がある。
【発明の開示】
【発明が解決しようとする課題】
【００１３】
そこで本発明の課題は、内部で足の指を充分に動かすことができると共に、積極的に足指の筋力を鍛え、足の握力を強化し、足の病気の治癒と予防を可能とし、膝や腰の障害を予防又は治癒することができ、さらには全身の血行を良好にして健康を増進させることができ、スポーツ時には足の力を確実に地面に伝達させ、運動効率を向上させることができる履物を提供することにある。
【課題を解決するための手段】
【００１４】
上記課題を解決するために、請求項１記載の本発明に係る履物は、底部の前端部に足の指先が下方へ屈曲しうる空隙部が設けられ、上記空隙部には足の指先を屈曲する際に弾性変形すると共に足指に対し反発力を付与しうる弾性部材が設けられていることを特徴とする。
【００１５】
即ち、請求項１記載の本発明に係る履物にあっては、足指を下方へ屈曲した場合に足指が上記空隙部に収容されることになる。従って、足指を下方に折り曲げる動作を確実に行うことができる。そして足指を下方に折り曲げることにより、足指に地面を掴むような運動をさせることができる。
また、足指を下方へ屈曲させて上記弾性部材を変形させた場合に、上記弾性部材から反発力が得られ、足指に負荷を付与することができる。従って、足指を下方へ屈曲する運動を繰り返し行うことにより、足の血行を良好にして足指の筋力を強化することができる。
【００１６】
また、請求項２記載の本発明に係る履物は、上記底部はインソールとミッドソールを有すると共に、上記インソールとミッドソールの間に衝撃吸収部材が配置され、上記衝撃吸収部材の先端部が切欠れることにより上記空隙部が形成されていることを特徴とする。
【００１７】
即ち、請求項２記載の本発明に係る履物にあっては、上記底部はインソールと、衝撃吸収部材と、ミッドソールとを有し、これらは上記衝撃吸収部材を間に挟んで積層されている。そして、上記空隙部は、上記従来例のように凹部を加工するのではなく、上記衝撃吸収部材の先端部が切欠れることにより形成されている。上記衝撃吸収部材はもちろん衝撃を吸収して足を保護する作用を有するが、上記空隙部に下方へ折り曲げた足指を収容できる深さを確保させる機能も有している。
【００１８】
また、請求項３記載の本発明に係る履物は、上記弾性部材は、上面部が上方へ突出して先端側が傾斜するように形成され、ミッドソールの幅方向に沿って接着により固定されていることを特徴とする。
【００１９】
即ち、請求項３記載の本発明に係る履物にあっては、上記弾性部材が足指の折り曲げ運動を円滑にするような形状に形成されている。即ち、上方へ突出した上記弾性部材の上面部が足指の裏側を支持し、足指を下方へ折り曲げたときは上記弾性部材の先端側の傾斜に沿って足の指先がスムースに折れ曲がるように形成されている。また、上記弾性部材は上記ミッドソールの上面に凹部のような部位を形成することなく、ミッドソールの平坦な上面部に接着により固定されている。
【００２０】
また、請求項４記載の本発明に係る履物は、上記弾性部材は上記インソールにより上方を被覆され、上記インソールは足指を下方へ屈曲した場合に変形しうる柔軟な素材により形成されていることを特徴とする。
【００２１】
即ち、請求項４記載の本発明に係る履物にあっては、上記弾性部材の上には上記インソールが被せられている。従って、足裏に上記弾性部材が直に触れたり、上記空隙部に足指が直に落ち込むこともないので、足裏を底部に載せた場合の違和感が少ない。足指を下方へ折り曲げた場合は、上記インソールが足指の折り曲げ動作に追従して柔軟に変形することから、足の指先は上記空隙部に支障なく収容されて、足の指により地面を掴むような動作が可能になると共に、上記弾性部材を足指が下方へ押して反発力を受けることにより足指に負荷がかかることになることから、足指を下方へ折り曲げる動作を繰り返し行えば足指の筋力を強化することになる。
【００２２】
また、請求項５記載の本発明に係る履物は、上記弾性部材は足指の屈曲時に、足指により適度な圧力で圧迫された場合に変形しうる程度の剛性を備えた合成ラテックスにより形成されていることを特徴とする。
【００２３】
即ち、請求項５記載の本発明に係る履物にあっては、上記弾性部材として合成ラテックスが使用されており、この合成ラテックスは適度な剛性を有し、足指を適度な圧力で接触させた場合は適度な反発力を受けることになる。従って、足指を折り曲げる動作には適度な負荷がかかり、この動作を繰り返し行えば足指の鍛錬となって足指の筋力が強化されることになる。また、上記合成ラテックスは他の弾性部材に比べ廉価で入手しやすい。また、上記合成ラテックスは他の弾性部材に比べ安定した弾性反発力を得ることができ、品質を安定させることができる。
【００２４】
また、請求項６記載の発明に係る履物にあっては、上記弾性部材は板バネにより形成されていることを特徴とする。
従って、請求項６記載の発明にあっては、履物の先端部に内装し歩行又は走行した場合であっても危険性のない合成樹脂等からなる板バネが内装されている。
【００２５】
また、請求項７記載の本発明に係る履物は、革靴として構成されていることを特徴とする。
即ち、請求項７記載の本発明に係る履物にあっては、革靴として構成されていることから、サラリーマンやＯＬ等が日常的に着用して、通勤時等に足指を自然に運動させたり、足指の筋力を強化することができる。
【００２６】
また、請求項８記載の本発明に係る履物は、スポーツシューズとして構成されていることを特徴とする。
【００２７】
即ち、請求項８記載の本発明に係る履物にあっては、スポーツシューズとして構成されていることから、スポーツする場合に着用して、足指を下方へ折り曲げて地面を確実に掴むことができる。これにより、スポーツの基本動作である走る、跳ぶ、投げる、打つ等のスポーツの基本動作を確実に行うことができる。
【００２８】
また、請求項９記載の本発明に係る履物は、サンダルとして構成されていることを特徴とする。
【００２９】
即ち、請求項９記載の本発明に係る履物にあっては、サンダルとして構成されていることから、気軽に外出する場合にも着用して、足指を運動させたり、足指の筋力を鍛えることができる。
【００３０】
また、請求項１０記載の本発明に係る履物は、スリッパとして構成されていることを特徴とする。
【００３１】
即ち、請求項１０記載の本発明に係る履物にあっては、スリッパとして構成されていることから、室内に居る場合でも気軽に着用して、足指を運動させたり、足指の筋力を鍛えることができる。
【００３２】
また、請求項１１記載の本発明に係る履物は、リハビリ器具として構成されていることを特徴とする。
【００３３】
即ち、請求項１１記載の本発明に係る履物にあっては、リハビリ器具として構成されていることから、健常者のみでなく、足の疾病を既に有する人も気軽に着用して、足指を運動させたり、足指の筋力を鍛えることにより、足の機能回復を図ることができる。
【００３４】
また、請求項１２記載の本発明に係る履物は、上記リハビリ器具は、底部の前端部に足の指先が下方へ屈曲しうる空隙部が設けられ、上記空隙部には足の指先を屈曲する際に弾性変形すると共に足指に対し反発力を付与しうる弾性部材が設けられているスリッパとして形成されていることを特徴とする。
【００３５】
即ち、請求項１２記載の本発明に係る履物にあっては、上記スリッパを履いた状態で、足指を下方へ屈曲した場合に足指が上記空隙部に収容されることになる。従って、下半身等に何らかの障害がある場合であっても、足指を下方に折り曲げる動作を支障なく行うことができる。そして足指を下方に折り曲げることにより、足指に地面を掴むような動作をさせることができる。
また、足指を下方へ屈曲させて上記弾性部材を変形させた場合に、上記弾性部材から反発力が得られ、足指に負荷を付与することができることから、足指を下方へ屈曲する運動を繰り返し行うことにより、足の血行を良好にして足指の筋力を強化することができる。特に、足指を上方へ動かすことにより脚の脛側の筋力を鍛えることができ、足指を下方へ動かすことにより脚の脹脛側の筋力を鍛えることができる。
従って、足、膝、腰等に疾病を有する人は、このスリッパを履いて足指を上下に動かすことにより身体全体の血行を促進させることができると共に、足の筋力を強化することにより膝や腰への負担を軽減することができるので、上半身各部位、内臓を含め、疾病のある身体各部位の機能回復を図ることができる。
【００３６】
また、請求項１３記載の本発明に係る履物は、上記リハビリ器具には、足指の上下方向の運動回数を計測して表示しうるカウンタが備えられていることを特徴とする。
【００３７】
即ち、請求項１３記載の本発明に係る履物にあっては、足指を上下方向に動かした場合に、その運動の動作回数を上記カウンタが計測して表示することができる。従って、使用者は運動回数を認識してリハビリを行い、足指の運動が足らないか、十分であるかを即座に判別することができ、足らない場合は更に運動を続行することにより補足することができるので、リハビリ効果を上げることができる。
【発明の効果】
【００３８】
請求項１記載の本発明に係る履物は、底部の前端部に足の指先が下方へ屈曲しうる空隙部が設けられ、上記空隙部には足の指先を屈曲する際に弾性変形すると共に足指に対し反発力を付与しうる弾性部材が設けられていることから、足指を下方へ屈曲した場合に足指を上記空隙部に収容することができるので、足指を下方に折り曲げ、地面を掴むような運動させることができる。
また、足指を下方へ屈曲させて上記弾性部材を変形させた場合に反発力が得られ、足指に負荷がかかるので、足指を下方へ屈曲する運動を繰り返し行うことにより、足の血行を良好にして足指の筋力を強化し、足指の機能障害の治癒と予防を行うことができる。
また、足は全身の神経が集まっている部位であることから、足指の運動を行うことにより、膝や腰の障害を予防又は治癒することができ、さらには全身の血行を良好にして健康を増進させることができる。
また、スポーツ時には、足指により地面を掴むように足指を動かすことができ、運動時の様々な動作の際に、しっかりと地面を確保することができるため、身体を確実に地面に対して固定させることができ、足の力を確実に地面に伝達することができる。
その結果、走る、跳ぶ、打つ、というスポーツの基本動作を良好な運動効率により行うことができる。
【００３９】
また、請求項２記載の本発明に係る履物は、上記底部はインソールとミッドソールを有すると共に、上記インソールとミッドソールの間に衝撃吸収部材が配置され、上記衝撃吸収部材の先端部が切欠れることにより上記空隙部が形成されていることから、従来とは異なり、靴としての構成部材であるインソールとミッドソールとの間に上記空隙部を設け弾性部材を配設することができることから、確実に足指を折り曲げる運動をさせる空間を確保することができる。
また、インソールとミッドソールの間に衝撃吸収部材が設けられていることから歩行や走行の際の衝撃を有効に吸収し、歩きやすく走りやすい靴を提供することができる。
【００４０】
また、請求項３記載の本発明に係る履物は、上記弾性部材は、上面部が上方へ突出して先端側が傾斜するように形成され、ミッドソールの幅方向に沿って接着により固定されていることから、上記弾性部材の傾斜に沿って足指を下方へ容易に屈曲させることができる。また、上記弾性部材がミッドソールに接着により固定されるので、上記従来例のように底部に凹所を設けて弾性部材を埋設するような煩雑がなく、上記弾性部材の固定が容易で製造コストを低減することができる。
【００４１】
また、請求項４記載の本発明に係る履物は、上記弾性部材は上記インソールにより上方を被覆されることから、上記弾性部材がインソールより上方へ突出することがなく、足指の運動空間を制約することがない。従って、足指を十分に上下方向へ運動させることができ、また、着用した場合に窮屈感がなく履き心地が良好である。また、上記インソールは足指を下方へ屈曲した場合に容易に変形しうる柔軟な素材により形成されていることから、足指の屈曲運動を支障無くスムースに行うことができる。また、サンダルのような底部の先端部が露出する履物では、上記弾性部材がインソールにより隠蔽されるので見栄えが良好となる。
【００４２】
また、請求項５記載の本発明に係る履物は、上記弾性部材は足指の屈曲時に、足指により適度な圧力で圧迫された場合に変形しうる程度の剛性を備えた合成ラテックスにより形成されていることから、足指の屈曲時に足指の筋力を強化するための上記弾性部材を容易に形成することができる。
【００４３】
また、請求項６記載の本発明に係る履物にあっては、上記合成ラテックスの代わりに可撓性板を有するバネが履物の前端部に配置されていることから、上記同様の効果を得ることができる。
請求項７記載の履物は革靴であることから、日常に外出して歩行する際に、足指の運動を十分に行うことができると共に、歩行しながら足指、脹脛、脚のすね部の筋力をごく自然に強化することができる。
【００４４】
また、請求項８記載の本発明に係る履物はスポーツシューズであることから、運動者は着用することにより、運動時に、走る、跳ぶ、打つ等のスポーツにおける基本動作を行う際に、足指を曲げることにより確実に地面を掴む動作を行うことができ、その結果、身体を充分に地面に対して固定することができるため、走る、跳ぶ、打つ等の運動の基本動作を円滑に、かつ運動効率よく行うことができる。
【００４５】
また、請求項９記載の本発明に係る履物はサンダルであることから、革靴の場合よりも、より気軽に外出して歩行する際、足指の運動を十分に行うことができると共に、より気軽に足指の運動を行い、足の筋力を強化し、健康を増進することができる。
【００４６】
また、請求項１０記載の本発明に係る履物はスリッパであることから、室内においてスリッパを履いて生活する中でも足指の運動を十分に行うことができると共に、より気軽に足指の運動を行い、足の筋力を強化し、健康を増進することができる。
【００４７】
また、請求項１１記載の本発明に係る履物はリハビリ用具として使用されることから、健常者の足の病気予防のみでなく、外反母趾等の足の疾病を既に有する人でも、足の機能回復を図ることができる。
即ち、足指を曲げる動作を繰り返し行うことにより、足の血行を良好にすると共に、足の筋肉そのものを増強し、脹脛及びすね側の筋肉を増強することができ、足の筋肉を増強することにより足の機能を増大させることができる。
その結果、膝への負担を軽減すると共に腰への負担も軽減し、下半身の機能を全体として良好にすることができる。
さらに、多くの神経が集まっている脹脛の機能が増大することから、全身の血行を良好にし、循環器系の疾患を予防し、再発を防止することができる。
従って、本請求項に係るリハビリ器具を使用して足指の屈曲運動を繰り返すのみで、日常生活の中で手軽にかつ自然に健康回復及び健康増進を図ることができる。
【００４８】
また、請求項１２記載の本発明に係る履物は、上記リハビリ器具は、底部の前端部に足の指先が下方へ屈曲しうる空隙部が設けられ、上記空隙部には足の指先を屈曲する際に弾性変形すると共に足指に対し反発力を付与しうる弾性部材が設けられているスリッパとして形成されていることから、室内においても上記スリッパを履いて足指を上下に動かすことにより足指が十分な運動を行うことができるので、足の筋力強化に効果的である。特に、足指を上方へ動かすことにより脚の脛側の筋力を鍛えることができ、足指を下方へ動かすことにより脚の脹脛側の筋力を鍛えることができる。
従って、足、膝、腰等に疾病を有する人は、このスリッパを履いて足指を上下に動かすことにより身体全体の血行を促進させることができると共に、足の筋力を強化することにより膝や腰への負担を軽減することができるので、疾病した身体各部位の機能回復を図ることができ、顕著なリハビリ効果を得ることができる。
【００４９】
また、請求項１３記載の本発明に係る履物は、上記リハビリ器具には、足指の上下方向の運動回数を計測して表示しうるカウンタが備えられていることから、上記履物の着用者は上記カウンタにより計測され足指の動作回数を認識することができ、その回数が足りない場合は更に足指の運動を続行することができるので、足指の運動を十分に行って健康増進を達成することができる。
【発明を実施するための最良の形態】
【００５０】
以下、図面を用いて本発明の実施の形態について説明する。
本実施の形態に係る履物１１は、図１及び図３〜図６に示すように、底部１７の前端部に足の指先が下方へ屈曲しうる空隙部２１が設けられ、上記空隙部２１には足の指先を屈曲する際に弾性変形すると共に足指に対し反発力を付与しうる弾性部材２２が設けられている。
また、上記履物１１の底部１７は、図１及び図３〜図６に示すように、インソール１８とミッドソール１４を有すると共に、上記インソール１８とミッドソール１４の間に衝撃吸収部材１９が配置され、上記衝撃吸収部材１９の先端部が切欠かれることにより上記空隙部２１が形成されている。
また、上記弾性部材２２は、図１及び図３〜図６に示すように、上面部が上方へ突出して先端側が傾斜するように形成され、図２に示すように、ミッドソール１４の幅方向に沿って接着により固定されている。
また、上記弾性部材２２は、図３に示すように、上記インソール１８により上方を被覆され、上記インソール１８は足指を下方へ屈曲した場合に変形しうる柔軟な素材により形成されている。
また、上記弾性部材２２は足指の屈曲時に、足指により適度な圧力で圧迫された場合に変形しうる程度の剛性を備えた合成ラテックス３３により形成されている。
また、上記履物１１は本実施形態では、図１〜図３に示すように、革靴１２として構成されている。しかしながら、図４に示すように、上記履物１１がスポーツシューズ２５として構成される実施形態、図５に示すように、サンダル２６として構成される実施形態、又は図５及び図７に示すように、スリッパ２７として構成される実施形態も可能である。
また、上記履物１１は、図６及び図７に示すように、リハビリ器具２８として構成されている。
また、上記リハビリ器具２８は、図６に示すように、底部１７の前端部に足の指先が下方へ屈曲しうる空隙部２１が設けられ、上記空隙部２１には足の指先を屈曲する際に弾性変形すると共に足指に対し反発力を付与しうる弾性部材２２が設けられているスリッパ２７として形成されている。
また、上記リハビリ器具２８には、図６及び図７に示すように、足指の上下方向の運動回数を計測して表示しうるカウンタ２９が備えられている。
【実施例１】
【００５１】
図１〜図３は実施例１に係る履物１１を示したものであり、この履物１１は革靴１２として形成されている。
【００５２】
上記革靴１２はセメント式により形成されている。
即ち、甲皮を裁断し、上記甲皮を縫い纏めて製甲することによりアッパー１３を形成し、木型の底面にミッドソール１４を仮り止めしてから、上記木型に上記製甲したアッパー１３を被せて釣り込みし、上記アッパー１３の底面を起毛し、中物１５を上記中底１４の外側に入れ、最後にアウトソール１６を接着することにより製造されている。
なお、上記革靴１２の製法は自由であり、上記セメント式に限定されず、他の製法、例えばグッドイヤー・ウェルト式、マッケイ式、カリフォルニア式等の方法で製造することも勿論可能である。
【００５３】
上記革靴１２は、上記革靴１２の底部１７は、図１及び図３に示すように、上記ミッドソール１４の他に、上記アウトソール１６、インソール１８及び衝撃吸収部材１９を用いて構成されている。
【００５４】
上記衝撃吸収部材１９は合成樹脂の繊維により立体網状に形成され適宜な厚さを有している。なお、この衝撃吸収部材１９には「フローリアン（商品名）」が使用されている。
【００５５】
上記衝撃吸収部材１９は、図２に示すように、前端部が切欠かれ（符号２０がその切欠部を示す）、上記ミッドソール１４の上面側に接着により固定されている。従って、図１及び図３に示すように、上記衝撃吸収部材１９の前方でミッドソール１４の上方には空隙部２１が形成されている。この空隙部２１は、下方へ折り曲げた足指を収容可能なスペースを有するように形成されている。
【００５６】
上記ミッドソール１４は通気性、吸放湿性、耐水性、耐汗性等に優れたパルプボードにより形成されている。また、その下面側にはシャンク（図示せず）が固着されている。なお、ミッドソール１４の素材は自由であり、天然皮革やレザーボードを素材として用いることも可能である。
【００５７】
上記空隙部２１には、図１〜図３に示すように、弾性部材２２がミッドソール１４の幅方向に沿って配置されている。この弾性部材２２は合成ラテックス３３により形成され、上面部が上方へ膨出して先端側に傾斜部２３を有し、平面形状が図２に示すように略三日月形となるように形成されている。
なお、上記弾性部材２２は同一素材のシート２４を介して上記ミッドソール１４の上面部に接着により固定されている。なお、上記シート２４は上記弾性部材２２と一体に形成することも可能である。
【００５８】
上記弾性部材２２は適度な剛性を有し、図３に示すように、足指で押した場合に反発力を得ることができる。従って、足指を下方へ動かした場合に適度な負荷が足指にかかることになり、足指を繰り返し下方へ折り曲げると足指の筋力を鍛えることができる。
【００５９】
上記衝撃吸収部材１９は、図１及び図３に示すように、上方を上記インソール１８により被覆されている。このインソール１８は前端部が上記衝撃吸収部材１９のように切欠かれていないので、上記空隙部２１及び上記弾性部材２２も上方を上記インソール１８により被覆され、隠蔽された状態にされている。
【００６０】
上記インソール１８は柔軟性を有する素材により形成され、図３に示すように、足指３４を下方へ折り曲げた場合に、足指３４に押されて下方へ折れ曲がることにより上記空隙部２１に没入するように構成されている。従って、足指３４を下方へ曲げた場合に、その足指３４を上記空隙部２１に収容することができる。
なお、上記インソール１８は、その上面全体若しくは後ろ半分を中敷（図示せず）により被覆することも可能である。
【００６１】
上記アウトソール１６は合成ゴムにより形成され、上記ミッドソール１４の下側に上記中物１５を挟んで被覆されている。
なお、アウトソール１６の素材は自由であり、天然皮革、合成皮革、又は天然ゴム等を用いることも可能である。
【００６２】
上記中物１５はコルクボード、コルク、樹脂スポンジ、革、ウールフェルト等により形成されているが、この中物１５は省略することも可能である。
【００６３】
上記アッパー１３は天然若しくは合成皮革により構成されている。
【実施例２】
【００６４】
次に、図４は実施例２に係る履物１１を示したものであり、この履物１１はスポーツシューズ２５として形成されている。
なお、このスポーツシューズ２５には、野球、ゴルフ、サッカー、テニス、陸上競技等、すべてのスポーツ用の靴が含まれる。
【００６５】
上記スポーツシューズ２５の底部１７は、図４に示すように、インソール１８、ミッドソール１４、衝撃吸収部材１９、及びアウトソール１６により構成され、当該底部１７にアッパー１３が接続されている。
なお、該スポーツシューズ２５ではミッドソール１４とアウトソール１６の間に上記中物１５が入れられていないが、中物１５を入れて底部１７を構成してもよい。
【００６６】
上記インソール１８、ミッドソール１４、衝撃吸収部材１９、アウトソール１６、及びアッパー１３の素材は、上記実施例１の革靴１２と同様なので説明は省略する。
【００６７】
上記衝撃吸収部材１９は前端部が切欠かれ（符号２０がその切欠部を示す）、上記ミッドソール１４の上面側に接着により固定されている。従って、上記衝撃吸収部材１９の前方でミッドソール１４の上方には空隙部２１が形成されている。
【００６８】
上記空隙部２１には、図４に示すように、合成ラテックス３３で形成された弾性部材２２がミッドソール１４の幅方向に沿って配置されている。この弾性部材２２も、上面部が上方へ膨出して先端側に傾斜部２３を有し、平面形状が上記実施例１の弾性部材２２と同様に略三日月形となるように形成されている。
なお、本実施例２では上記実施例１で用いられた上記シート２４が使用されていないが、該シート２４を用いることも可能である。
【００６９】
上記弾性部材２２は適度な剛性を有し、足指で押した場合に反発力を得ることができる。従って、足指を下方へ動かした場合に適度な負荷がかかることになる。
【００７０】
上記衝撃吸収部材１９は、図４に示すように、上方を上記インソール１８により被覆されている。このインソール１８は前端部が上記衝撃吸収部材１９のように切欠かれていないので、上記空隙部２１及び上記弾性部材２２も上方を上記インソール１８により被覆され、隠蔽された状態にされている。
【００７１】
上記インソール１８は柔軟性を有する素材により形成され、上記実施例１と同様に、足指を下方へ折り曲げた場合に、足指に押されて下方へ折れ曲がることにより上記空隙部２１に没入する。従って、足指を下方へ曲げた場合に、その足指を上記空隙部２１に収容することができる。
なお、上記インソール１８は、その上面全体若しくは後ろ半分を中敷(図示せず)により被覆することも可能である。
【実施例３】
【００７２】
次に、図５は実施例３に係る履物１１を示したものであり、この履物１１はサンダル２６として形成されている。
【００７３】
上記サンダル２６の底部１７は、図５に示すように、インソール１８、ミッドソール１４、衝撃吸収部材１９、及びアウトソール１６により構成され、当該底部１７にアッパー１３が接続されている。
なお、上記アッパー１３は上記実施例１の革靴１２や上記実施例２のスポーツシューズ２５のように足の甲全体を被覆しうる形状は有しておらず、甲の一部のみを被覆しうる形状に形成されている。
【００７４】
上記インソール１８、ミッドソール１４、衝撃吸収部材１９、アウトソール１６、及びアッパー１３の素材は、上記実施例１の革靴１２と同様なので説明は省略する。
【００７５】
上記衝撃吸収部材１９は、図５に示すように、前端部が切欠かれ（符号２０がその切欠部を示す）、上記ミッドソール１４の上面側に接着により固定されている。従って、上記衝撃吸収部材１９の前方でミッドソール１４の上方には空隙部２１が形成されている。
【００７６】
上記空隙部２１には、図５に示すように、合成ラテックス３３で形成された弾性部材２２がミッドソール１４の幅方向に沿って配置されている。この弾性部材２２も、上面部が上方へ膨出して先端側に傾斜部２３を有し、平面形状が上記実施例１の弾性部材２２と同様に略三日月形となるように形成されている。
【００７７】
上記弾性部材２２は適度な剛性を有し、足指で押した場合に反発力を得ることができる。従って、足指を下方へ動かした場合に適度な負荷がかかることになる。
【００７８】
上記衝撃吸収部材１９は、図５に示すように、上方を上記インソール１８により被覆されている。このインソール１８は前端部が上記衝撃吸収部材１９のように切欠かれていないので、上記空隙部２１及び上記弾性部材２２も上方を上記インソール１８により被覆され、隠蔽された状態にされている。
【００７９】
上記インソール１８は柔軟性を有する素材により形成され、上記実施例１と同様に、足指を下方へ折り曲げた場合に、足指に押されて下方へ折れ曲がることにより上記空隙部２１に没入する。従って、足指を下方へ曲げた場合に、その足指を上記空隙部２１に収容することができる。
なお、上記インソール１８は、その上面全体若しくは後ろ半分を中敷（図示せず）により被覆することも可能である。
【実施例４】
【００８０】
次に、図６及び図７は実施例４に係る履物１１を示したものであり、この履物１１はスリッパ２７として形成されている。
また、このスリッパ２７はリハビリ器具として使用されうるように構成されている。
【００８１】
上記スリッパ２７の底部１７は、図６に示すように、インソール１８、ミッドソール１４、衝撃吸収部材１９、及びアウトソール１６により構成され、当該底部１７にアッパー１３が接続されている。
なお、上記アッパー１３は上記実施例１の革靴１２や上記実施例２のスポーツシューズ２５のように足の甲全体を被覆しうる形状は有しておらず、足の前半部のみを挿入しうる略袋状に形成されている。
【００８２】
上記インソール１８、ミッドソール１４、衝撃吸収部材１９、アウトソール１６、及びアッパー１３の素材は、上記実施例１の革靴１２と同様なので説明は省略する。
【００８３】
上記衝撃吸収部材１９は、図６に示すように、前端部が切欠かれ（符号２０がその切欠部を示す）、上記ミッドソール１４の上面側に接着により固定されている。従って、上記衝撃吸収部材１９の前方でミッドソール１４の上方には空隙部２１が形成されている。
【００８４】
上記空隙部２１には、図６に示すように、合成ラテックス３３により形成された弾性部材２２がミッドソール１４の幅方向に沿って配置されている。この弾性部材２２も、上面部が上方へ膨出して先端側に傾斜部２３を有し、平面形状が上記実施例１の弾性部材２２と同様に略三日月形となるように形成されている。
【００８５】
上記弾性部材２２は適度な剛性を有し、足指で押した場合に反発力を得ることができる。従って、足指を下方へ動かした場合に適度な負荷がかかることになる。
【００８６】
上記衝撃吸収部材１９は、図６に示すように、上方を上記インソール１８により被覆されている。このインソール１８は前端部が上記衝撃吸収部材１９のように切欠かれていないので、上記空隙部２１及び上記弾性部材２２も上方を上記インソール１８により被覆され、隠蔽された状態となっている。
【００８７】
上記インソール１８は柔軟性を有する素材により形成され、上記実施例１と同様に、足指を下方へ折り曲げた場合に、足指に押されて下方へ折れ曲がることにより上記空隙部２１に没入する。従って、足指を下方へ曲げた場合に、その足指を上記空隙部２１に収容することができる。
なお、上記インソール１８は、その上面全体若しくは後ろ半分を中敷（図示せず）により被覆することも可能である。
【００８８】
上記スリッパ２７はリハビリ器具として使用されうるように構成されており、そのリハビリ運動を効果的に行うために、上記スリッパ２７には、図６及び図７に示すように、上記アッパー１３の外面部にカウンタ２９が設置され、このカウンタ２９には液晶表示部３０が備えられている。
【００８９】
上記カウンタ２９は、足指を上下方向に動かした場合に、その動作回数を計測しうるように構成されている。
即ち、図６に示すように、上記底部１７の空隙部２１において、上記インソール１８の下面部と上記ミッドソール１４の上面部における対向位置に一対の接点スイッチ３１，３２が配置され、足指を下方へ折り曲げた場合に、上記インソール１８も下方へ折り曲がって上記スイッチ３１，３２同士が接触することによりカウンタ２９に信号を送るように構成されている。
【００９０】
上記のように回数を数えながら足指を上下方向に動かせば、その足指の運動が足らないか十分であるかが即座に認識され、足らない場合は更に足指の上下運動を続行させることにより、足指に十分な運動を行わせることができる。また、回数が十分であれば、そこで運動を停止することができるので、無理な負荷を足指に与えることがない。
なお、足指を上方へ動かすことにより脚の脛側の筋力を鍛えることができ、足指を下方へ動かすことにより脚の脹脛側の筋力を鍛えることができる。
【００９１】
次に、上記実施例の作用について説明する。
上記実施例に係る履物１１としての上記革靴１２、上記スポーツシューズ２５、上記サンダル２６及び上記スリッパ２７は、図１及び図３〜図６に示すように、底部１７の前端部に足の指先が下方へ屈曲しうる空隙部２１が設けられていることから、足指の先端部を下方へ折り曲げた場合に、その足指を上記空隙部２１に収容することができる。従って、足指を上下方向へ動かす運動が可能となり、この運動を行うことにより血行を促し、健康を増進させることができる。
また、上記空隙部２１には、図１〜図６に示すように、足の指先を下方へ屈曲する際に弾性変形すると共に足指に対し反発力を付与しうる弾性部材２２が設けられていることから、足指を下方へ折り曲げた場合に上記弾性部材２２の反発力を受け、足指の上下運動時に負荷がかかることになる。従って、足指を下方へ折り曲げる運動を繰り返し行うことにより足指の筋力を鍛えることができ、膝痛や腰痛も防ぐことができる。
【００９２】
また、上記履物１１の底部１７は、図１及び図３〜図６に示すように、インソール１８とミッドソール１４を有すると共に、上記インソール１８とミッドソール１４の間に衝撃吸収部材１９が配置され、上記衝撃吸収部材１９の先端部が切欠かれることにより上記空隙部２１が形成されることから、底部１７に凹部を形成するような煩雑な工程を経ることなく、足指を下方へ折り曲げた場合に足指を収容するための空隙部２１を容易に形成することができる。
また、上記弾性部材２２は、図１及び図３〜図６に示すように、上面部が上方へ突出して先端側が傾斜するように形成されていることから、その傾斜部２３に沿って足指を容易に下方へ折り曲げることができる。また、上記弾性部材２２はミッドソール１４の幅方向に沿って接着により固定されることから、上記弾性部材２２を凹部に埋設して固定するような煩雑な工程が必要ない。
【００９３】
また、上記弾性部材２２は、図３に示すように、上記インソール１８により上方を被覆され、上記インソール１８は足指を下方へ屈曲した場合に変形しうる柔軟な素材により形成されていることから、足指を下方へ折り曲げた場合に、上記インソール１８も追従して変形するので、足指を支障なく上記空隙部２１に収容することができる。また、上記インソール１８は上記弾性部材２２を隠蔽するので、サンダル２６のような底部１７の前端部が露出する履物１１では見栄えが良好となる。
【００９４】
また、上記弾性部材２２は足指の屈曲時に、足指により適度な圧力で圧迫された場合に変形しうる程度の剛性を備えた合成ラテックス３３により形成されていることから、足指を下方へ折り曲げる運動を行った場合に足指に適度な負荷をかけることができる。
【００９５】
また、図４に示すように、上記履物１１がスポーツシューズ２５として構成されることにより、足指で地面をしっかりと掴むことができるので、走る、跳ぶ、打つ等のスポーツの基本動作を確実に行うことができる。
また、図５に示すように、上記履物１１がサンダル２６として構成されることにより、気軽に外出するような場合でも、足指の運動を十分に行って、足、膝、腰等の疾病を予防することができる。
また、図６及び図７に示すように、上記履物１１がスリッパ２７として構成されることにより、室内に居る場合も、足指の運動を十分に行って、足、膝、腰等の疾病を予防することができる。
【００９６】
また、上記履物１１は、図６及び図７に示すように、リハビリ器具２８として構成されることにより、健常者のみでなく、既に足、膝、腰等の疾病を有する人でも、それらの治癒に該履物１１を利用することができる。
また、上記リハビリ器具２８は、図６に示すように、底部１７の前端部に足の指先が下方へ屈曲しうる空隙部２１が設けられ、上記空隙部２１には足の指先を屈曲する際に弾性変形すると共に足指に対し反発力を付与しうる弾性部材２２が設けられているスリッパ２７として形成されることにより、足指を上下方向に動かして足指を十分に運動させることにより身体の血行を促進させると共に、足指の筋力を上記弾性部材２２の反発力を利用して鍛えることができる。
また、足指を上方へ動かすと、脚の脛側の筋力を鍛えることができ、足指を下方へ動かすと、脚の脹脛側の筋力を鍛えることができるので、足の前後をもれなく鍛えることができ、疾病を有する足の機能回復に極めて効果的である。
【００９７】
また、上記リハビリ器具２８には、図６及び図７に示すように、足指の上下方向の運動回数を計測して表示しうるカウンタ２９が備えられていることから、使用者はカウンタ２９に表示された数字を見て、足指の上下方向の運動回数を容易に認識することができる。従って、足指の上下運動が足らないか、十分であるかを即座に認識することができ、足らない場合は足指の運動を続行することができるので、極めて効果的に足指の運動を行うことができる。
なお、上記実施例にあっては、合成ラテックスにより形成された弾性部材を例に説明したが上記実施例に限定されず、可撓性を有すると共に一定の剛性を有する合成樹脂素材により形成され、ミッドソール１４の前端部においてインソール１８の下方に配置され、上記ミッドソール１４の幅方向に沿って配置された所定幅の板バネ部材により形成されていてもよく上記実施例に限定されない。
このように板バネにより弾性部材が形成された場合には、上記合成ラテックスにより構成された場合に比して、より反発力が強く、足指の筋肉をより鍛えられる、リハビリ効果の高い履物が提供される。
【産業上の利用可能性】
【００９８】
本発明は、すべての履物に適用可能である。
【図面の簡単な説明】
【００９９】
【図１】本発明の実施例１に係る革靴の一部を示す断面図である。
【図２】本発明の実施例１に係る革靴の底部の一部を示す平面図である。
【図３】本発明の実施例１に係る革靴を履いて足指を下方へ曲げた状態を示す一部断面図である。
【図４】本発明の実施例２に係るスポーツシューズの一部を示す断面図である。
【図５】本発明の実施例３に係るサンダルの一部を示す断面図である。
【図６】本発明の実施例４に係るスリッパの一部を示す断面図である。
【図７】本発明の実施例４に係るスリッパの一部を示す平面図である。
【符号の説明】
【０１００】
１１  履物
１２  革靴
１３  アッパー
１４  ミッドソール
１５  中物
１６  アウトソール
１７  底部
１８  インソール
１９  衝撃吸収部材
２０  切欠部
２１  空隙部
２２  弾性部材
２３  傾斜部
２４  シート
２５  スポーツシューズ
２６  サンダル
２７  スリッパ
２９  カウンタ
３０  液晶表示部
３１  スイッチ
３２  スイッチ
３３  合成ラテックス
３４  足指
【図１】
2006230802.tif 000003
【図２】
2006230802.tif 000004
【図３】
2006230802.tif 000005
【図４】
2006230802.tif 000006
【図５】
2006230802.tif 000007
【図６】
2006230802.tif 000008
【図７】
2006230802.tif 000009